(57)【要約】      （修正有）【課題】ユーザが所望するイメージをかばんに形成された収納空間の透明ビニールを介して、外部に出力することができるスマートファッションかばん、及びそれを利用したスマート通知システムを提供する。【解決手段】第１イメージデータが印刷されており、一領域に開口が具備された出力物の識別コードを感知する識別コード感知段階と、感知された出力物の識別コードから、第１イメージデータ、及び開口に係わる出力物情報を抽出する情報抽出段階と、出力物情報に基づいて、出力物の開口に対応する位置に挿入されたとき、第１イメージデータに対応する第２イメージデータを生成して出力するイメージ出力段階と、を含む。【選択図】図４
2018046465.tif 000002
【特許請求の範囲】
【請求項１】
各種物品を保管して携帯するように、内部に具備された収納空間が具備されたかばん本体と、前記かばん本体の外側面の第１領域に具備され、透明ビニールから形成されたファッション袋と、を含むスマートファッションかばんと、
前記ファッション袋に挿入され、第１識別コードを感知するタギング装置を具備し、前記タギング装置によって、前記第１識別コードを感知する場合、あらかじめインストールされたファッションアプリケーションを自動的に実行させ、前記透明ビニールを介してイメージデータを外部に出力するユーザ端末と、を含み、
前記ユーザ端末は、
前記第１識別コードを感知するモジュール感知部と、
前記イメージデータの出力のための条件情報と、通知メッセージ出力のための危険条件情報と、を入力する情報入力部と、
前記透明ビニール前方の映像を撮影する撮影部と、
前記条件情報、前記危険条件情報、ファッションイメージ、または前記撮影された前方の映像データを保存するメモリ部と、
前記条件情報によるファッションイメージの出力いかんを決定する出力決定部と、
前記撮影された前方の映像データを利用して、危険イベント発生いかんを判断するイベント判断部と、
前記決定されたファッションイメージと、前記危険イベント発生いかんによって、あらかじめ設定された通知メッセージと、を出力するディスプレイ部と、
前記ユーザ端末を構成する各構成要素の動作を制御する制御部と、を含むことを特徴とするファッションかばんを利用したスマート通知システム。
【請求項２】
前記ユーザ端末は、前記タギング装置によって、前記第１識別コードが感知される時間情報、または前記第１識別コードが感知された後のユーザのタッチ情報によって、前記イメージデータの出力を決定することを特徴とする請求項１に記載のスマートファッションかばんを利用したスマート通知システム。
【請求項３】
第１イメージデータが印刷されており、一領域に開口が具備された出力物の識別コードを感知する識別コード感知段階と、
感知された前記出力物の識別コードから、前記第１イメージデータ、及び前記開口に係わる出力物情報を抽出する情報抽出段階と、
前記出力物情報に基づいて、前記出力物の前記開口に対応する位置に挿入されたとき、前記第１イメージデータに対応する第２イメージデータを生成して出力するイメージ出力段階と、を含むイメージ出力方法。
【請求項４】
前記第２イメージデータは、前記第１イメージデータの前記開口に該当する位置に挿入されたとき、前記第１イメージデータと共に完成イメージデータを生成することを特徴とする請求項３に記載のイメージ出力方法。
【請求項５】
前記第２イメージデータは、動画イメージデータであることを特徴とする請求項３に記載のイメージ出力方法。
【請求項６】
第１イメージデータが印刷されており、一領域に開口が具備された出力物の識別コードを感知する識別コード感知部と、
感知された前記出力物の識別コードから、前記第１イメージデータ、及び前記開口に係わる出力物情報を抽出する情報抽出部と、
前記出力物情報に基づいて、前記出力物の前記開口に対応する位置に挿入されたとき、前記第１イメージデータに対応する第２イメージデータを生成して出力するイメージ出力部と、を含むイメージ出力システム。
【請求項７】
前記第２イメージデータは、前記第１イメージデータの前記開口に該当する位置に挿入されたとき、前記第１イメージデータと共に完成イメージデータを生成することを特徴とする請求項６に記載のイメージ出力システム。
【請求項８】
前記第２イメージデータは、動画イメージデータであることを特徴とする請求項６に記載のイメージ出力システム。
【請求項９】
本体と、
ユーザ端末が収納される第１収納空間と、
出力物が収納される第２収納空間と、を含むかばんであって、
前記第２収納空間は、外部に向く第１側面と、前記第１側面と反対方向に、前記本体と一部当接した第２側面と、を具備し、
前記第２収納空間の前記第１側面の第２領域は、透明物質からなり、外部から、前記第２収納空間の内部を透視することができるように構成され、
前記第１収納空間は、前記第２収納空間の前記第２側面の一部領域と当接するように形成され、前記第１収納空間と前記第２収納空間とが当接した面の第１領域は、透明物質からなるかばん。
【請求項１０】
前記ユーザ端末は、プロセッサを含み、
前記プロセッサは、
第１イメージデータが印刷されており、一領域に開口が具備された前記出力物の識別コードを感知する識別コード感知部と、
感知された前記出力物の識別コードから、前記第１イメージデータ、及び前記開口に係わる出力物情報を抽出する情報抽出部と、
前記出力物情報に基づいて、前記出力物の前記開口に対応する位置に挿入されたとき、前記第１イメージデータに対応する第２イメージデータを生成して出力するイメージ出力部と、を含むことを特徴とする請求項９に記載のかばん。
【発明の詳細な説明】
【技術分野】
【０００１】
本発明は、かばんユーザが所望するイメージを多様に出力することができるスマートファッションかばん、及びそれを利用したスマート通知システムに関する。
【背景技術】
【０００２】
一般的に、各種物品を保管及び携帯するためには、かばんを使用している。
【０００３】
かようなかばんの最も基本的な目的は、さまざまな物品を保管するためのものであり、かばんの本体には、収納空間が具備されている。従来のかばんに具備された収納空間は、本体の内部を１つの空間に形成するか、あるいは保管される物品を区分することができるように、内部空間が多数個で分割されている。しかし、かような従来のかばんは、物品を保管する機能以外に、外表面に、印刷、または形成されたデザインなどが当該かばん製品にのみ固定され、ユーザが容易に関心を失ってしまうという問題点があった。
【０００４】
関連先行技術文献として、特許文献１及び２がある。
【先行技術文献】
【特許文献】
【０００５】
【特許文献１】韓国公開特許公報第１０−２０１５−００２９０４９号「身体後方監視システム」
【特許文献２】韓国公開特許公報第１０−２００５−０１０８０３７号「着脱式補助ポケットが具備されたかばん」
【発明の概要】
【発明が解決しようとする課題】
【０００６】
本発明の一実施形態は、ユーザが所望するイメージをかばんに形成された収納空間の透明ビニールを介して、外部に出力することができるスマートファッションかばん、及びそれを利用したスマート通知システムを提供する。
【課題を解決するための手段】
【０００７】
本発明の一実施形態によれば、第１イメージデータが印刷されており、一領域に開口が具備された出力物の識別コードを感知する識別コード感知段階と、感知された前記出力物の識別コードから、前記第１イメージデータ、及び前記開口に係わる出力物情報を抽出する情報抽出段階と、前記出力物情報に基づいて、前記出力物の前記開口に対応する位置に挿入されたとき、前記第１イメージデータに対応する第２イメージデータを生成して出力するイメージ出力段階と、を含むイメージ出力方法が提供される。
【０００８】
本発明において、前記情報抽出段階は、前記第１イメージデータに係わる前記開口の位置情報を抽出することができる。
【０００９】
本発明において、前記第２イメージデータは、前記第１イメージデータの前記開口に該当する位置に挿入されたとき、前記第１イメージデータと共に完成イメージデータを生成することができる。
【００１０】
本発明において、前記第２イメージデータは、動画イメージデータでもある。
【００１１】
本発明において、前記第２イメージデータを出力するユーザ端末が収納される第１収納空間、及び前記出力物が収納される第２収納空間を含む収納手段の識別コードを感知する補助識別コード感知段階をさらに含み、前記情報抽出段階は、前記収納手段の識別コードから、前記収納手段に係わる情報を獲得し、前記第２イメージデータは、前記第１収納空間に収納されたユーザ端末において出力される。
【００１２】
本発明において、前記収納手段の識別コードは、前記第１収納空間に具備された第１識別コード、または前記第２収納空間に具備された第２識別コードを含んでもよい。
【００１３】
本発明の他の一実施形態によれば、第１イメージデータが印刷されており、一領域に開口が具備された出力物の識別コードを感知する識別コード感知部；感知された前記出力物の識別コードから、前記第１イメージデータ、及び前記開口に係わる出力物情報を抽出する情報抽出部；並びに前記出力物情報に基づいて、前記出力物の前記開口に対応する位置に挿入されたとき、前記第１イメージデータに対応する第２イメージデータを生成して出力するイメージ出力部；を含むイメージ出力システムが提供される。
【００１４】
本発明の他の一実施形態によれば、本体；ユーザ端末が収納される第１収納空間；及び出力物が収納される第２収納空間を含むかばんであり、前記第２収納空間は、外部に向く第１側面と、前記第１側面と反対方向に、前記本体と一部当接した第２側面と、を具備し、前記第２収納空間の前記第１側面の第２領域は、透明物質からなり、外部から、前記第２収納空間の内部を透視することができるように構成され、前記第１収納空間は、前記第２収納空間の前記第２側面の一部領域と当接するように形成され、前記第１収納空間と前記第２収納空間とが当接した面の第１領域は、透明物質からなるかばんが提供される。
【発明の効果】
【００１５】
本発明の一実施形態によるスマートファッションかばん、及びそれを利用したスマート通知システムは、かばんに形成された第１収納空間にユーザ端末を挿入し、かばん外表面のイメージと同一または類似したイメージデータを、ユーザ端末を介して出力し、かばんに形成された透明ビニールを介して、外部に出力しているために、消費者が自分だけのかばんイメージを具現することができ、他人の視線を引き付けることができる独特のファッションかばんを演出することができる。
【図面の簡単な説明】
【００１６】
【図１Ａ】本発明の一実施形態によるスマートファッションかばんを示す図面である。
【図１Ｂ】本発明の一実施形態によるスマートファッションかばんを示す図面である。
【図２Ａ】本発明の他の実施形態による、スマートファッションかばんを利用したスマート通知システムを示す図面である。
【図２Ｂ】本発明の他の実施形態による、スマートファッションかばんを利用したスマート通知システムを示す図面である。
【図３Ａ】本発明の一実施形態によるスマートファッションかばんをさらに詳細に示す図面である。
【図３Ｂ】本発明の一実施形態によるスマートファッションかばんをさらに詳細に示す図面である。
【図４】本発明の他の実施形態による、スマートファッションかばんを利用したスマート通知システムの動作を示す図面である。
【図５】図２のユーザ端末を概略的に示すブロック図である。
【発明を実施するための形態】
【００１７】
本明細書で使用される用語について簡略に説明し、本発明について具体的に説明する。
【００１８】
本発明で使用される用語は、本発明での機能を考慮しながら、可能な限り現在広く使用される一般的な用語を選択したが、それは、当分野に従事する技術者の意図または判例、新たな技術の出現などによって異なりもする。また、特定の場合は、出願人が任意に選定した用語もあり、その場合、当該発明の説明部分で詳細にその意味を記載する。従って、本発明で使用される用語は、単純な用語の名称ではない、その用語が有する意味と、本発明の全般にわたる内容とを基に定義されなければならない。
【００１９】
明細書全体において、ある部分がある構成要素を「含む」とするとき、それは、特別に反対となる記載がない限り、他の構成要素を除くものではなく、他の構成要素をさらに含んでもよいということを意味する。また、明細書に記載された「…部」というような用語は、少なくとも１つの機能や動作を処理する単位を意味し、それは、ハードウェアまたはソフトウェアによって具現されるか、あるいはハードウェアとソフトウェアとの結合によっても具現される。
【００２０】
以下では、添付した図面を参照し、本発明の実施形態について、本発明が属する技術分野において当業者が容易に実施することができるように詳細に説明する。しかし、本発明は、さまざまに異なる形態に具現され、ここで説明する実施形態に限定されるものではない。そして、図面において本発明について明確に説明するために、説明と係わりのない部分は省略し、明細書全体を通じて類似した部分については、類似した図面符号を付した。
【００２１】
図１Ａ及び図１Ｂは、本発明の一実施形態によるスマートファッションかばんを示す図面であり、図２Ａ及び図２Ｂは、本発明の他の実施形態による、スマートファッションかばんを利用したスマート通知システムを示す図面であり、図３Ａ及び図３Ｂは、スマートファッションかばんをさらに詳細に示す図面であり、図４は、本発明の他の実施形態による、スマートファッションかばんを利用したスマート通知システムの動作を示す図面であり、図５は、図２のユーザ端末を概略的に示すブロック図である。
【００２２】
図１Ａ及び図１Ｂ、並びに図２Ａ及び図２Ｂを参照すれば、本発明の一実施形態によるスマートファッションかばん１０は、かばん本体１２、第１収納空間１３、第２収納空間１４、第１識別コード１３０（図４）及び第２識別コード１４０（図４）を含む。図１Ａ及び図１Ｂ、並びに図２Ａ及び図２Ｂに図示されているように、かばん１０の第１収納空間１３には、ユーザ端末２０が挿入され、第２収納空間１４には、出力物３０が挿入される。さらに具体的には、図１Ａ及び図２Ａの実施形態は、出力物３０に動物の顔形態が印刷した実施形態を示し、図１Ｂ及び図２Ｂの実施形態は、出力物３０にスロットマシン形態が印刷された実施形態を示している。本発明の明細書では、出力物３０は、ファッション用紙とも表現される。
【００２３】
本発明の一実施形態によるスマートファッションかばん１０は、かばん本体１２の内部に、各種物品を保管及び携帯することができるように、収納空間が形成されており、かばん本体１２は、上側に、腕や肩にかけることができるように、把手１１が具備された女性用バッグが望ましいが、それ以外にも、リュックサック用かばんまたは旅行用かばんなど、いかなる形態のかばん本体１２を使用してもよい。
【００２４】
図３Ａ及び図３Ｂを参照すれば、スマートファッションかばんについてさらに詳細に説明される。図３Ａは、スマートファッションかばん１０の平面図であり、図３Ｂは、スマートファッションかばん１０の斜視図である。
【００２５】
前記スマートファッションかばん１０は、一側面に、ユーザ端末２０を収納することができる第１収納空間１３、及び出力物を収納することができる第２収納空間１４が具備される。このとき、図３Ａは、スマートファッションかばん１０を上側から見た様子を例示したものである。図３Ａから分かるように、第２収納空間１４は、本体１２の外側に具備され、第２収納空間１４の本体側面に、第１収納空間１３が具備される。このとき、本発明の一実施形態によれば、第１収納空間１３は、第２収納空間１４に付着した形態に具備され、第１収納空間１３と第２収納空間１４との間の面、すなわち、第１収納空間１３と第２収納空間１４との間の共通面１３ａの一部領域である第１領域１３ｂは、透明物質から形成される。また、第２収納空間１４において、本体反対方向の第１側面１４ａの一部領域である第２領域１４ｂは、透明物質から形成され、内部に挿入される出力物を外部から見ることができるように具備される。また、外部からは、第２収納空間１４の第２領域１４ｂ、出力物３０の開口３０ａ、第１収納空間１３の第１領域１３ｂを順に透過し、第１収納空間１３内に収納されたユーザ端末２０の画面を見ることができる。
【００２６】
図３Ｂでは、説明の便宜のために、かばん１０において、第１収納空間１３及び第２収納空間１４を除いた本体１２部分は、点線処理を施した。まず、第２収納空間１４は、外部に向く第１側面１４ａと、第１側面１４ａと反対方向に、本体と一部当接した第２側面と、を具備する。このとき、第１側面１４ａの領域のうち、透明物質、特に、透明ビニールによって具備された領域を第２領域１４ｂといい、第２領域１４ｂは、斜線によって表示されている。また、第１収納空間１３は、第２側面の一部領域と当接するように形成され、第１収納空間１３と第２収納空間１４とが当接した面である共通面１３ａの一領域である第１領域１３ｂは、透明物質から形成される。このとき、本発明の一実施形態では、共通面１３ａ全体が透明物質、特に、透明ビニールから形成され、第１領域１３ｂを形成することができ、ユーザ端末２０は、第１領域１３ｂに対応する領域に具備される。第１領域１３ｂは、第２領域１４ｂと同一透明物質から構成され、第１領域１３ｂは、第２領域１４ｂより狭い間隔の斜線によって表示されている。
【００２７】
図１ないし図３Ａ、図３Ｂの例示に限定されず、前述の第１収納空間及１３び第２収納空間１４は、かばん本体１２の外側面のうち、前面、背面、側面、上面、底面のうちいずれか一つに形成される。本発明の一実施形態によれば、前記第１収納空間１３には、ユーザ端末２０が挿入され、ユーザ端末２０を介して、既設定イメージデータを外部に出力する。このとき、ユーザ端末２０を介して出力されるイメージデータは、出力物３０に印刷されたイメージデータの開口３０ａに対応するものでもある。
【００２８】
さらに詳細には、前記かばん本体１２の外側面の第２収納空間１４には、ファッションイメージデータが印刷された出力物３０が挿入される。すなわち、前記かばん本体１２の外側面には、出力物３０が挿入されるように、挿入空間である第２収納空間１４が具備される。言い換えれば、外部から見たとき、ユーザ端末２０の画面が見える第１領域１３ｂを除いた第２領域１４ｂに、ファッションイメージデータが印刷された出力物３０が見えるように、出力物３０は、第２収納空間１４に挿入される。従って、第２収納空間１４の外側面は、透明ビニールのような透明物質によって具備されるので、第２収納空間１４に挿入された出力物３０のファッションイメージデータを、外部から見ることができる。また、出力物３０には、開口３０ａが具備され、開口３０ａを介して、第１収納空間１３に収納されたユーザ端末２０の出力画面を外部から見ることができる。このとき、ユーザ端末２０の出力画面には、開口３０ａに対応する位置に挿入されたとき、出力物３０に印刷されたファッションイメージデータに対応するイメージデータが出力される。ユーザ端末２０から出力されるイメージデータは、ファッションイメージデータに対応されるように、大きさ、位置、色相または画素情報があらかじめ設定されている。
【００２９】
一方、前記出力物３０には、ＮＦＣコード、ＱＲコードまたはバーコードのうちいずれか一つを含む第３識別コード（図示せず）を含んでもよい。それによって、前記ユーザ端末２０に具備されたタギング装置が第３識別コードを認識した後、ユーザ端末２０にあらかじめインストールされたファッションアプリケーションを自動実行させ、ファッションイメージデータに対応するイメージデータを出力することができる。例えば、前記出力物に、特定芸能人や歌手らのイメージ情報と、それを含む第３識別コードとが含まれている場合、ユーザ端末２０が第３識別コードを認識すれば、ユーザ端末２０を介して、当該芸能人や歌手の動画情報を出力することができる。
【００３０】
さらに詳細には、ユーザ端末２０は、出力物３０の第３識別コードを感知することができる。ユーザ端末２０は、感知された第３識別コードから、出力物に印刷された第１イメージデータ（ファッションイメージデータ）、及び開口に係わる出力物情報を抽出する。このとき、出力物情報には、第１イメージデータに係わる情報、及び開口の位置情報が含まれてもよい。また、ユーザ端末２０は、抽出された出力物情報に基づいて、開口に対応する位置に挿入されたとき、第１イメージデータに対応する第２イメージデータを生成して出力することができる。
【００３１】
それに関連して、図１Ａ及び図２Ａの例示では、出力物３０に、動物（あるいは、モンスター）の顔イメージ（ただし、開口３０ａ部分の動物の目周辺の領域は除外）が印刷され、ユーザ端末２０の画面には、目周辺の領域が出力される場合が図示されている。すなわち、図１Ａ及び図２Ａの例示では、出力物３０とユーザ端末２０とが、それぞれかばんに収納されたとき、完成イメージとして動物の顔イメージを生成する例を示している。このとき、ユーザ端末２０は、出力物３０の第３識別コードを認識し、出力物３０に印刷された動物の顔データに対応する、動物の顔において、目周辺領域のイメージデータを出力することができる。言い換えれば、出力物３０には、図２Ｂのように、開口３０ａに対応する動物の顔のファッションイメージデータが印刷され、ユーザ端末２０が第３識別コードを認識し、出力物３０の情報を抽出することにより、開口３０ａ部分に挿入されたとき、適する目周辺のイメージがユーザ端末２０に、図２Ｂのように出力される。それにより、第１収納空間１３に、ユーザ端末２０が収納され、第２収納空間１４に、出力物３０が収納される場合、図１Ａのように、外部から見るとき、完成された動物の顔のイメージが見える。また、本発明の一実施形態によれば、ユーザ端末２０が出力するイメージデータは、動画イメージデータでもある。前記完成イメージが動物の顔イメージである場合を続けて例として挙げれば、ユーザ端末２０が出力するイメージデータは、目をまばたきさせる動画イメージデータでもある。従って、第１収納空間１３にユーザ端末２０が収納され、第２収納空間１４に出力物３０が収納される場合、第２領域１４ｂを介して、動物の顔を見ることができると同時に、第１領域１３ｂを介して、動物の目がまばたきされる動画を見ることができる。
【００３２】
また、図１Ｂ及び図２Ｂの例示では、出力物３０に、スロットマシンのイメージ（ただし、開口３０ａ部分のスロットが回る領域は除外）が印刷され、ユーザ端末２０の画面には、スロットマシンのディスプレイ領域（すなわち、スロットが回る領域）が出力される場合が図示されている。すなわち、図１Ｂ及び図２Ｂの例示では、出力物３０とユーザ端末２０とが、それぞれかばんに収納されたときの完成イメージであり、スロットマシンイメージを生成する例を示している。このとき、ユーザ端末２０は、出力物３０の第３識別コードを認識し、出力物３０に印刷されたスロットマシーンイメージデータに対応する、スロットマシーンディスプレイ領域のイメージデータを出力することができる。言い換えれば、出力物３０には、図２Ｂのように、開口３０ａに対応するスロットマシーンのファッションイメージデータが印刷され、ユーザ端末２０が第３識別コードを認識し、出力物３０の情報を抽出することにより、開口３０ａ部分に挿入されたとき、適するスロットイメージが、ユーザ端末２０に、図２Ｂのように出力される。それにより、第１収納空間１３にユーザ端末２０が収納され、第２収納空間１４に出力物３０が収納される場合、図１Ｂのように、外部から見るとき、完成されたスロットマシンのイメージを見ることができる。また、本発明の一実施形態によれば、ユーザ端末２０が出力するイメージデータは、動画イメージデータでもある。前記完成イメージがスロットマシンイメージである場合を続けて例として挙げれば、ユーザ端末２０が出力するイメージデータは、スロットが続けて回る動画イメージデータでもある。従って、第１収納空間１３にユーザ端末２０が収納され、第２収納空間１４に出力物３０が収納される場合、第２領域１４ｂを介してスロットマシンを見ることができると同時に、第１領域１３ｂを介してスロットが続けて回る動画を見ることができる。
【００３３】
前記第１識別コード１３０は、ＮＦＣコード、ＱＲコードまたはバーコードのうちいずれか一つを含む。かような第１識別コード１３０は、固有識別番号、ファッションかばんデータまたは連絡先データのうち少なくとも一つを含んでもよい。
【００３４】
また、前記第１識別コード１３０は、エポキシ樹脂、ＰＶＣ（polyvinyl chloride）樹脂、人造皮またはポリプロピレン樹脂のうち少なくとも一つからなるボディ（図示せず）内部に挿入される。ここで、エポキシ樹脂は、ナフタレン変形エポキシ樹脂、クレゾールノボラックエポキシ樹脂、ゴム変性型エポキシ樹脂及びリン系エポキシ樹脂を含む複合エポキシ樹脂；ポリ（メト）アクリレート（poly(meth)acrylate）エポキシベースト樹脂（epoxy based resin）；ＳｉＯ２、ＳｉＯを含むエポキシ樹脂のうち少なくとも一つからなる。また、ＰＶＣは、ポリ塩化ビニル、ポリエステル、ポリエーテル、ウレタン樹脂、低密度ポリエチレン（low density polyethylene）、超低密度ポリエチレン（ＬＬＤＰＥ）、高密度ポリエチレン（high density polyethylene）のうち少なくとも一つからもなる。また、前記人造皮は、超極細纎維を利用したChamude人工皮革からもなる。また、前記ポリプロピレン樹脂は、ポリプロピレンランダムブロック共重合体を含み、ポリプロピレンランダムブロック共重合体は、エチレン−プロピレンランダム共重合体またはエチレン−プロピレン−α−オレフィン三元ランダム共重合体、及びエチレン−プロピレンブロック共重合体を含む。前記エチレン−プロピレンランダム共重合体またはエチレン−プロピレン−α−オレフィン三元ランダム共重合体は、ポリプロピレン樹脂組成物の機械的剛性を維持すると同時に、適切な程度の耐熱性を付与し、エチレン−プロピレンブロック共重合体との適切な光学的、熱力学的相溶性を有し、透明性を維持する役割を果たす。
【００３５】
また、前記ボディは、第１識別コード１３０を覆い包むように形成されるか、あるいは第１識別コード１３０をコーティングした形態からもなる。前記第１識別コード１３０は、ユーザ端末２０に具備されたタギング装置（すなわち、モジュール感知部２１０によって認識された後、ユーザ端末２０にあらかじめインストールされたファッションアプリケーションを自動実行させ、イメージデータを出力することができる。
【００３６】
前記第２識別コード１４０は、ＮＦＣコード、ＱＲコードまたはバーコードのうちいずれか一つを含み、かばん本体１２の外側面の第１収納空間を除いた第２収納空間に具備される。かような第２識別コード１４０は、ユーザ端末２０に具備されたタギング装置によって認識された後、ユーザ端末２０にあらかじめインストールされたファッションアプリケーションを自動実行させ、ファッションイメージデータを出力することができる。
【００３７】
前記イメージデータまたはファッションイメージデータは、ユーザの瞳孔、またはカメラのレンズの動き、ユーザの感情状態、天気または季節情報によって、既設定の動画、ユーザによって既設定の付加イメージのうち少なくともいずれか一つを含んでもよい。
【００３８】
例えば、前記第１識別コード１３０または第２識別コード１４０に、ユーザの瞳孔が動く監視情報が含まれている場合、ユーザ端末２０が第１識別コード１３０または第２識別コード１４０を認識すれば、ユーザ端末２０を介して、まさしく周辺を監視するような瞳孔動画情報を出力することができる。
【００３９】
図２ないし図４を参照すれば、本発明の他の実施形態によるスマートファッションかばん１０を利用したスマート通知システムは、スマートファッションかばん１０及びユーザ端末２０を含む。
【００４０】
前記スマートファッションかばん１０は、図１に図示された本発明の一実施形態によるスマートファッションかばん１０を示すものであり、本実施形態においては、重複を避けるために、スマートファッションかばん１０についての説明は省略する。
【００４１】
前記ユーザ端末２０は、第１識別コード１３０を感知するタギング装置（すなわち、モジュール感知部２１０）を具備し、第１収納空間１３に挿入される端末装置である。かようなユーザ端末２０は、タギング装置によって、第１識別コード１３０を感知する場合、あらかじめインストールされたファッションアプリケーションを自動的に実行させ、第１領域１３ｂ及び第２領域１４ｂを介して、イメージデータを外部に出力する。また、前記ユーザ端末２０は、タギング装置によって、第１識別コード１３０が感知される時間情報または第１識別コード１３０が感知された後、ユーザのタッチ情報によって、イメージデータの出力を決定することができる。
【００４２】
一方、前記ユーザ端末２０は、携帯型端末であってタギング装置が具備され、ファッションアプリケーション実行が可能であり、イメージ及び動画撮影が可能なスマーフォン（smart phone）、スマートパッド（smart pad）、タブレットＰＣ（tablet personal computer）、ＰＣＳ（personal communication system）、ＧＳＭ（global system for mobile communications）、ＰＤＣ（personal digital cellular）、ＰＨＳ（personal handyphone system）、ＰＤＡ（personal digital assistant）、ＩＭＴ（international mobile telecommunication）−２０００、ＣＤＭＡ（code division multiple access）−２０００、Ｗ−ＣＤＭＡ（Ｗ−code division multiple access）、Ｗｉｂｒｏ（wireless broadband internet）の端末のような全種のハンドヘルド（handheld）基盤の無線通信装置を含んでもよい。
【００４３】
かような動作を具現するために、前記ユーザ端末２０は、図５に図示されているように、モジュール感知部２１０、情報入力部２２０、撮影部２３０、メモリ部２４０、出力決定部２５０、イベント判断部２６０、ディスプレイ部２７０及び制御部２８０を含む。
【００４４】
前記モジュール感知部２１０は、第１識別コード１３０または第２識別コード１４０を感知するタギング装置であって、ＮＦＣ通信を介して、第１識別コード１３０または第２識別コード１４０に含まれた識別情報を感知する。このとき、前記モジュール感知部２１０は、第１識別コード１３０または第２識別コード１４０と物理的に接触する以外にも、近距離無線通信で通信可能範囲内に位置するものも含んでもよい。すなわち、前記モジュール感知部２１０は、ＮＦＣ通信によって具現されるが、ブルートゥース（Bluetooth）、ＩＲＤＡ（infrared data association）、ＲＦＩＤ、ＵＷＢ、ＨＯＭＥＲＦなど多様な近距離通信を介しても具現される。
【００４５】
前記情報入力部２２０は、イメージデータの出力のための条件情報と、通知メッセージ出力のための危険条件情報と、を入力する装置である。すなわち、前記情報入力部２２０は、第１識別コード１３０または第２識別コード１４０と、モジュール感知部２１０との接触時間またはアクセス時間についての条件情報や、撮影部２３０によって撮影された前方映像での危険信号露出についての条件情報を、ユーザが直接入力する装置である。また、前記情報入力部２２０は、ディスプレイ部２７０を介して表示する情報のうち、数字、アルファベット、ハングルまたは特殊文字などが選択的に入力される。また、前記情報入力部２２０は、それ以外にも、ユーザの認証情報やその他通知メッセージを入力したり設定したりすることも可能である。
【００４６】
前記撮影部２３０は、第１領域１３ｂ前方及び第２領域１４ｂ前方の映像を撮影するカメラ装置であり、画像通話モードまたは撮影モードでイメージセンサによって得られる静止映像または動画などの画像フレームを処理する。このとき、処理された画像フレームは、イベント判断部２６０または制御部２８０に伝送される。
【００４７】
前記メモリ部２４０は、条件情報、危険条件情報、ファッションイメージ、または撮影された前方の映像データを保存する装置であり、フラッシュメモリタイプ（flash memory type）、ハードディスクタイプ（hard disk type）、マルチメディアカードマイクロタイプ（multimedia card micro type）、カードタイプのメモリ（例えば、ＳＤまたはＸＤメモリなど）、ＲＡＭ（random access memory）、ＳＲＡＭ（static random access memory）、ＲＯＭ（read only memory）、ＥＥＰＲＯＭ（electrically erasable programmable read-only memory）、ＰＲＯＭ（programmable read-onlym emory）、磁気メモリ、磁気ディスク、光ディスクのうち少なくとも１つのタイプの記録媒体を含んでもよい。
【００４８】
前記出力決定部２５０は、情報入力部２２０によって入力された条件情報によるファッションイメージの出力いかんを決定する。すなわち、前記出力決定部２５０は、モジュール感知部２１０によって、第１識別コード１３０または第２識別コード１４０が所定時間の間持続的に感知される場合、メモリ部２４０に保存されたファッションイメージをディスプレイ部２７０を介して出力する。また、前記出力決定部２５０は、イベント判断部２６０によって、ファッションかばんに接近するユーザの映像パターンが、既保存の映像パターンと異なる場合、危険信号として判断し、既設定のアラームメッセージ（例えば、動物の形状や鳴き声など）をディスプレイ部２７０を介して出力させる。
【００４９】
前記イベント判断部２６０は、撮影部２３０によって撮影された前方の映像データを利用して、危険イベント発生いかんを判断する。すなわち、前記イベント判断部２６０は、映像データを分析し、既保存のユーザ顔情報または身体情報と、映像データに含まれた顔情報または身体情報とが同一であるか否かということを判断する。かようなパターン情報比較を介したイベント発生いかん判断アルゴリズムは、公知技術に該当するので、それについての詳細な説明は、本明細書では省略する。
【００５０】
前記ディスプレイ部２７０は、出力決定部２５０によって出力が決定されたファッションイメージと、イベント判断部２６０によって判断された危険イベント発生いかんによって、既設定の通知メッセージとを出力する装置であり、それぞれのデータを視覚的に表現するために、液晶ディスプレイ（ＬＣＤ：liquid crystal display）、薄膜トランジスタ液晶ディスプレイ（ＴＦＴＬＣＤ：thin film transistor-liquid crystal display）、有機発光ダイオード（ＯＬＥＤ：organic light-emitting diode）、フレキシブルディスプレイ（flexible display）、三次元ディスプレイ（３Ｄ display）、電子インクディスプレイ（ｅ−ink display）のうち少なくとも一つを含んでもよい。前記ディスプレイ部２７０は、タッチ方式によって制御命令を入力されるように、タッチ感知手段を含んでもよい。
【００５１】
前記制御部２８０は、ユーザ端末２０を構成する各構成要素の動作を制御する装置であり、モジュール感知部２１０によって、第１識別コード１３０または第２識別コード１４０を感知する場合、あらかじめインストールされたファッションアプリケーションを自動的に実行させ、透明ビニールを介して、イメージデータを外部に出力するように制御することができる。また、前記ユーザ端末２０は、モジュール感知部２１０によって、第１識別コード１３０が感知される時間情報、または第１識別コード１３０が感知された後のユーザタッチ情報によって、イメージデータの出力を決定するように制御することができる。
【００５２】
前述のように構成された本発明の一実施形態によるスマートファッションかばん１０、及びそれを利用したスマート通知システムは、かばんに形成された第１収納空間１３にユーザ端末を挿入し、かばん外表面のイメージ、特に、第２収納空間１４に挿入された出力物３０の開口３０ａに対応するイメージデータを、ユーザ端末を介して出力し、かばんに形成された第１領域１３ｂ及び第２領域１４ｂを介して、外部に出力しているために、消費者が自分だけのかばんイメージを具現することができ、他人の視線を引き付けることができる独特のファッションかばんを演出することができる。
【００５３】
以上で説明したところは、本発明によるスマートファッションかばん１０、及びそれを利用したスマート通知システムを実施するための１つの実施形態に過ぎず、本発明は、前記実施形態に限定されるものではなく、特許請求の範囲で請求するように、本発明の要旨を外れることなしに、当該発明が属する分野で当業者であるならば、何人でも多様な変更実施が可能な範囲まで、本発明の技術的精神があるといえるのである。
【図１Ａ】
2018046465.tif 000003
【図１Ｂ】
2018046465.tif 000004
【図２Ａ】
2018046465.tif 000005
【図２Ｂ】
2018046465.tif 000006
【図３Ａ】
2018046465.tif 000007
【図３Ｂ】
2018046465.tif 000008
【図４】
2018046465.tif 000009
【図５】
2018046465.tif 000010